(57)【要約】【課題】メモリカードを記憶媒体として使用した撮像装置において、メモリカードの交換などの使い勝手を向上させる。【解決手段】画像の撮像を行う撮像部を収納した撮像部収納部１２を備え、撮像部で撮像して得た画像信号をメモリカードに記憶させる撮像装置に適用される。メモリカード収納部３０は、撮像部収納部１２の後方に配置し、メモリカード５０を収納するカードスロット３４，３５をメモリカード収納部３０に設ける。そして、メモリカード収納部３０に配置されたカードスロット３４，３５に蓋をする蓋部４０を設ける。この蓋部４０は、撮像装置本体の側面に沿ってスライドする構成とする。【選択図】図２
2008263317.tif 000002
【特許請求の範囲】
【請求項１】
画像の撮像を行う撮像部を収納した撮像部収納部を備え、前記撮像部で撮像して得た画像信号をメモリカードに記憶させる撮像装置において、
前記撮像部収納部の後方に配置され、前記メモリカードを収納するカードスロットを有するメモリカード収納部と、
前記メモリカード収納部に配置されたカードスロットに蓋をし、蓋をした位置から側面に沿ってスライドすることで開閉する蓋部とを備えたことを特徴とする
撮像装置。
【請求項２】
請求項１記載の撮像装置において、
前記蓋部は、撮像装置本体に取付けられたレンズの側にスライドさせることで、蓋が開く構成としたことを特徴とする
撮像装置。
【請求項３】
請求項１記載の撮像装置において、
前記蓋部は、撮像装置本体の一方の側面に配置してあり、
撮像装置本体の他方の側面に、撮像装置本体を保持するためのグリップを設けたことを特徴とする
撮像装置。
【請求項４】
請求項１記載の撮像装置において、
前記蓋部は、前記カードスロットに装着されたメモリカードの装着状態が確認できる窓部を設けたことを特徴とする
撮像装置。
【請求項５】
請求項１記載の撮像装置において、
前記窓部の配置位置は、前記蓋部の表面から突出した形状としたことを特徴とする
撮像装置。
【請求項６】
請求項１記載の撮像装置において、
閉じた状態の前記蓋部に隣接して、前記メモリカード収納部の表面に窪み部を設けたことを特徴とする
撮像装置。
【発明の詳細な説明】
【技術分野】
【０００１】
本発明は、撮像して得た画像信号を記憶する記憶媒体としてメモリカードを使用したビデオカメラに適用される撮像装置に関する。
【背景技術】
【０００２】
従来、記録部が一体に取付けられたビデオカメラにおいては、撮像して得た画像信号を記憶する記憶（記録）媒体として、磁気テープや光ディスクなどが使用されてきた。これに対して、近年の半導体メモリの記憶容量の増大や低コスト化に伴って、半導体メモリを内蔵したメモリカードを、記憶媒体として使用するようにしたものが実用化されている。
【０００３】
メモリカードを記憶媒体として使用することで、磁気テープや光ディスクを使用する場合と異なり、ビデオカメラが備える記憶部として、モータなどの可動機構を必要としなので、媒体への記憶（書き込み）や再生（読み出し）の機構が非常に簡単である。また、メモリカードは、媒体そのものサイズについても磁気テープなディスクなどに比べて小型であり、ビデオカメラの媒体装着部を非常に小型かつ軽量に構成させることが可能となる。
【０００４】
特許文献１には、記憶媒体としてメモリカードを使用したビデオカメラの一例についての記載がある。
【特許文献１】特開２００３−６９９５１号公報
【発明の開示】
【発明が解決しようとする課題】
【０００５】
ところで、ビデオカメラにメモリカードを装着するカードスロットを設けた場合、そのカードスロットの配置位置として、適切な位置を選定する必要があった。特に、放送局などで使用される放送局用のビデオカメラや、それに準じた使用が行われる業務用のビデオカメラの場合には、撮影しながら簡単にメモリカードを交換できるようにする必要がある。しかしながら、従来提案されているビデオカメラでは、そのようなメモリカードの迅速な交換などが考慮された構成であるとは言えなかった。
【０００６】
即ち、放送局用や業務用のビデオカメラの構成としては、レンズや光学フィルタなどの光学系が前面に取付けてあり、その光学系プリズムやイメージセンサなどの撮像部が、光学系に続いた配置（即ち光学系の後方に配置）してある。撮像部には、イメージセンサで得た撮像信号を、所定の画像信号（映像信号）とする撮像信号処理を行う回路ブロックについても内蔵させてある。そして、メモリカードが装着されるカードスロットは、その撮像部に隣接した位置とするのが一般的である。
【０００７】
撮像部の部分は、ビデオカメラの本体を構成する部分である。ビデオカメラを撮影者が保持する際には、その撮像部の近傍の部分を手で持つことになる。従って、メモリカードが装着されるカードスロットについても、配置位置についての配慮をしないと、ビデオカメラ本体を持つ手で隠れる位置となる可能性が高いという問題があった。ビデオカメラとしての持ちやすさと、メモリカードの交換のし易さを両立させるのは、困難であった。
【０００８】
例えば、ビデオカメラのレンズから最も遠い位置である後端面に、カードスロットを配置することで、ビデオカメラを持つ手で隠れる可能性は低いため、一見すると、カードスロットを配置するのが好ましいように思われるが、実際には、ビデオカメラの後端面には、ビューファインダが配置されて、そのビューファインダを除いている撮影者の顔が、ビデオカメラの後端面に近接する可能性が高く、ビデオカメラの後端面にカードスロットを配置するのは好ましくない。
【０００９】
また、カードスロットを設ける場合、そのカードスロットの配置位置には蓋となる部材を設ける構成として、ビデオカメラに何らかの強い衝撃が加わった際に、カードスロットに装着されたメモリカードがカードスロットから抜けることがないように構成する必要がある。ところが、このような蓋を設けると、その蓋の開く位置が、ビデオカメラを保持した手で邪魔をしない位置としないと、ビデオカメラを持ったままでメモリカードを交換することは不可能である。
【００１０】
本発明はかかる点に鑑みてなされたものであり、メモリカードを記憶媒体として使用した撮像装置において、メモリカードの交換などの使い勝手を向上させることを目的とする。
【課題を解決するための手段】
【００１１】
本発明は、画像の撮像を行う撮像部を収納した撮像部収納部を備え、撮像部で撮像して得た画像信号をメモリカードに記憶させる撮像装置に適用される。メモリカード収納部は、撮像部収納部の後方に配置し、メモリカードを収納するカードスロットをメモリカード収納部に設ける。そして、メモリカード収納部に配置されたカードスロットに蓋をする蓋部を設ける。この蓋部は、撮像装置本体の側面に沿ってスライドする構成とする。
【００１２】
このようにしたことで、撮像装置本体の側面に沿ってスライドする蓋部を、その本体側面に沿ってスライドさせることで、カードスロットが露出し、そのカードスロットにメモリカードを装着させたり、装着されたメモリカードを取出すことが可能となる。
【発明の効果】
【００１３】
本発明によると、撮像装置本体の側面に沿ってスライドする蓋部を設けたことで、その蓋部をスライドさせる操作で、カードスロットが露出させることができ、カードスロットに装着されたメモリカードを外したり、或いはカードスロットに新たなメモリカードを装着させることが、簡単にできるようになる。
【発明を実施するための最良の形態】
【００１４】
以下、本発明の一実施の形態を、添付図面を参照して説明する。本実施の形態においては、撮像して得た画像信号を記憶させる記憶媒体として、メモリカードを使用した記憶部（記録部）一体型のビデオカメラに適用した例としてある。メモリカードとしては、本例の場合には、エクスプレスカード（Express Card）と称される規格のメモリカードを使用するようにしてある。
【００１５】
図１及び図２は、本実施の形態を適用した撮像装置の構成例を示す斜視図である。図１と図２は、いずれも撮像装置を斜め後方から見た斜視図としてある。図１はメモリカードが取り付けられるメモリカード収納部３０の蓋４０を閉じた状態で示してあり、図２は蓋４０を開いた状態で示してある。
図３から図８は、本実施の形態の撮像装置の各面を示した平面図である。即ち、図３は撮像装置の左側面を示す側面図であり、図４は、撮像装置の右側面を示す側面図である。図５は、撮像装置を前面側から見た正面図である。図６は、撮像装置の背面図である。図７は、撮像装置の底面図である。図８は、撮像装置の上面図である。以下の説明では、図１及び図２を主として参照して構成を説明するが、適宜、図３から図８までの各面の平面図も参照する。
【００１６】
本実施の形態の撮像装置は、複数枚のズームレンズ等で構成されるレンズ部１０と、レンズ部１０に入射する不要光を遮断するレンズフード１１と、レンズ部１０を介して入射された被写体光を映像信号に変換する、撮像部が収納された撮像部収納部１２とを有する。また、撮像部収納部１２の後方には、メモリカード収納部３０が設けてあり、さらにそのメモリカード収納部３０の後方に、撮像装置１００の各部に電源を供給するバッテリが収納されたバッテリ収納部１３が設けてある。なお、以下の説明では、レンズフード１１が取付けられた側を前側と称し、バッテリ収納部１３側を後側と称する。
【００１７】
レンズフード１１は、レンズ部１０の光の入射側の先端部分に取り付けてあり、レンズ部１０の光の出射側には、撮像部収納部１２を接続させてある。撮像部収納部１２内には、レンズ部１０を介して入射した光（撮像光）を３原色に分解するプリズムや、そのプリズムで分解された各色の光の出射面に配置されたイメージセンサが配置してある。イメージセンサで撮像光を電気的な撮像信号に変換する。さらに、イメージセンサで変換された撮像信号を処理して、所定のフォーマットの画像信号（映像信号）とする撮像信号処理回路が組まれた回路基板などについても、撮像部収納部１２内に配置してある。
撮像部収納部１２の後方には、メモリカード収納部３０とバッテリ収納部１３とが配置してある。この撮像部収納部１２とメモリカード収納部３０とバッテリ収納部１３とは、一体の筐体に収納させてあり、撮像装置本体を構成する。なお、バッテリ収納部１３に収納されるバッテリを着脱させる機構については、各図では省略してある。
【００１８】
撮像装置本体の上部には、レンズ部１０における光軸方向と平行に、ハンドル２０を設けてある。ハンドル２０は、撮像装置をユーザ（撮影者）が持つ際には、ハンドル２０を手でつかんで保持し易い形状としてある。但しハンドル２０は、ユーザが撮像装置をぶら下げた状態でつかむためのものである。
【００１９】
ハンドル２０の末端部分である位置には、撮影の構図決定や焦点合わせ等を行うためのビューファインダ２２を取り付けてある。そしてビューファインダ２２の先端部には、アイカップ２３を取り付けてある。ビューファインダ２２内には、画面サイズが１インチ程度の小型の表示部が配置してあり、アイカップ２３に直接撮影者の目を近づけて、表示を確認する。
【００２０】
ハンドル２０の先端部分には、マイクロフォン２５を配置してあり、マイクロフォン２５で得た音声信号の符号化処理等を行う音声処理部を、ハンドル２０の側面に配置した音声処理部収納部２６内に収納してある。ハンドル２０上面の、マイクロフォン２５の配置位置から、ハンドル２０の若干奥に後退した位置には、撮像部が得た映像信号の再生や録画に関する操作信号を入力するための操作部が配置してある。
【００２１】
操作部としては、再生に関する操作を行うための再生操作ボタン２１ａや、録画の開始及び停止を指示する録画ボタン２１ｂ等が用意してある。
【００２２】
ハンドル２０の先端寄り２０ａの下側、つまり操作部が配置された面の裏側には、撮像部で得た映像信号を画像として表示（或いは記録された映像信号を再生した画像を表示）する表示部２４を設けてある。表示部２４は、例えは画面の対角線のサイズが３．５インチ程度の大きさの液晶画像表示パネルで構成される表示パネル２４ａを、筐体に収納させて構成される。液晶表示パネル以外の画像表示パネルを使用してもよい。
【００２３】
表示部２４は、ハンドル２０の下面から回動させて引き出して使用するようにしてある。図１は表示部２４を収納させた状態を示し、図２は表示部２４を引き出した状態の例を示す。
【００２４】
撮像装置本体を構成する撮像部収納部１２の後方に配置されたメモリカード収納部３０については、図１に示すように、撮像装置の左側面に、蓋４０が配置してあり、その蓋４０を側面に沿って前方にスライドさせることで、図２に示すように、カードスロット３４，３５が露出する構成としてある。
【００２５】
本例の撮像装置は、２つのカードスロット３４，３５を備え、それぞれのカードスロット３４，３５を直立させて、並べて配置してある。各カードスロット３４，３５の下には、カード取出し用ボタン３６，３７が配置してあり、それぞれのボタン３６，３７を押すことで、各カードスロット３４，３５に収納されたメモリカードを取出すことができる。図２では、カードスロット３４にメモリカード５０が収納された状態を示してあり、カードスロット３５にはメモリカードが取付けられていない状態を示してある。
カード取出し用ボタン３６，３７についても、蓋４０が閉じた状態では、その蓋４０で隠れる位置に配置してある。
【００２６】
蓋４０には、２つの縦長の窓４１，４２が配置してある。各窓４１，４２の配置位置は、カードスロット３４，３５の配置位置に対応した位置に設けてあり、蓋４０を閉じた状態では、各窓４１，４２を介して内部にメモリカード５０の装着の有無が確認できる。各窓４１，４２は、透明或いは透過率が制限された透明樹脂部材が配置してある。
これらの窓４１，４２の配置位置は、蓋４０の表面から若干外側に突出させてある。図６の背面図では、この窓４１，４２の突出状態が平面で示されている。蓋４０は、図６では破線で示してある。
【００２７】
また、各カードスロット３４，３５の配置位置の上側には、カード用パイロットランプ３１，３２が並べて配置してある。この２つのカード用パイロットランプ３１，３２は、図１に示すように、蓋４０を閉じた状態で、外側に露出した位置としてある。パイロットランプ３１は、カードスロット３４に装着されたメモリカードのアクセス状態などを発光により示し、パイロットランプ３２は、カードスロット３５に装着されたメモリカードのアクセス状態などを発光により示す。
【００２８】
蓋４０を図１に示すように閉じた状態では、この蓋４０の縁に連続して、メモリカード収納部３０の表面に、窪み部３３が設けてある。蓋４０をスライドさせる際には、この窪み部３３に入れた指で、蓋４０の縁を押して、蓋４０を前方にスライドさせる。
また、上述したように、蓋４０の窓４１，４２についての若干外側に突出した形状としてあるので、その窓４１，４２の突出した部分を指で押さえながら、手間に蓋４０をスライドさせることも可能である。
蓋４０は、例えばバネなどの力で、閉じた状態（図１の状態）及び開いた状態（図２の状態）の際に、ある程度の力が働いてその閉じた状態や開いた状態が維持されるようにして、その作用した力よりも強い力で押した際に、スライドして閉じたり開くようにしてある。
【００２９】
また、本実施の形態の撮像装置は、右側面を示した図４などに示されるように、撮像装置本体の右側面に、直立した状態に配置されたグリップ２９を設けてある。本例では、グリップ２９は、撮像部収納部１２の右脇に配置してある。
次に、図９及び図１０を参照して、撮像装置をユーザが持って撮像する際の例について説明する。撮像装置をユーザが持って撮像する際には、図１０に示すように、ユーザが右手でこのグリップ２９を掴むことになる。グリップ２９には、録画の開始ボタンなどが配置してある。
【００３０】
このとき、図９に示すように、ユーザの左手Ｌについては、撮像部収納部１２の底面から左側面を支えている状態とするのが一般的な撮影形態である。この図９に示すように保持した状態で、メモリカード収納部３０に収納されたメモリカードを交換する必要が生じたとする。このとき、図９に示すように、撮像部収納部１２の左側面に位置する、左手Ｌの指（図９の例では親指）で、蓋４０を前方に押すことで、蓋４０が開き、カードスロットが露出する。この状態で、カード取出し用ボタン３６又は３７を押すことで、カードスロットに収納されたメモリカードが若干手前に飛び出し、左手でメモリカードを取出すことが可能となる。メモリカードを収納させる際には、カードスロット３４又は３５に差し込めばよい。
【００３１】
このように本例の撮像装置によると、撮像装置を保持した状態で、簡単にメモリカードを交換できるようになる。即ち、カードスロットの蓋である蓋４０は、左側面に配置してあるので、撮像装置を右手で保持した状態で、反対側の手である左手で撮影をしながら簡単にスライドさせて、メモリカードを交換することが可能となる。また、蓋４０は前方にスライドするので、スライドさせても、ビューファインダ２２を覗いている顔に蓋４０が当たることがなく、この点からも良好にメモリカードの交換が可能である。
【００３２】
次に、ここまで説明した撮像装置の内部構成例を、図１１を参照して説明する。
図１１に示す撮像装置は、レンズ１０ａを含むレンズ群で構成されるレンズ部１０と、レンズ部１０のレンズ群を通して結像された被写体光を光電変換し、映像信号として出力する撮像部１０１を備える。撮像部１０１は、図示せぬアナログ・デジタル変換部（以降、Ａ／Ｄ変換部と称する）を備えており、その後段には、Ａ／Ｄ変換部から出力されたデジタル映像信号に対するデジタル信号処理を行う、信号処理部１０２を接続してある。
【００３３】
信号処理部１０２では、ある輝度レベル以上の映像信号を圧縮するニー補正や、映像信号のレベルを予め設定されたγカーブに従って補正するγ補正、映像信号の信号レベルが所定範囲となるように制限するホワイトクリップ処理やブラッククリップ処理等を行う。
【００３４】
撮像部１０１による撮像や、信号処理部１０２での処理は、制御部１１０の制御に基づいて行われる。制御部１１０は、ＣＰＵ（Central Processing Unit）等で構成される中
央制御装置であり、撮像部１０１や信号処理部１０２の他にも、伝送ライン１を介して接続された撮像装置１００の各部に対する制御を行う。制御部１１０から各部に対して行われる制御は、制御部１１０に接続された操作部２１に対する操作入力に基づいて行われる。操作部２１は、前述したように、再生操作ボタン２１ａや録画スイッチ２１ｂ又は２１ｃ等で構成される。
【００３５】
信号処理部１０２でデジタル信号処理された映像信号は、各部間で行われるデータのやりとりの仲介を行う、インターフェース部１０３に伝送される。インターフェース部１０３には、撮影の構図決定や焦点合わせ等を行うためのビューファインダ２２と、撮像部１０１によって撮影中の映像又は、後述する外部記録媒体に記録された映像の再生映像を表示する表示部２４と、映像信号の圧縮又は伸張を行う圧縮伸張処理部１０６を接続してある。圧縮伸張処理部１０６には、記録再生制御部１０８を接続してあり、記録再生制御部１０８を介して、カードスロット３４又は３５（図２）に装着されたメモリカード５０が接続されている。
【００３６】
圧縮伸張処理部１０６では、撮像部１０１で撮像された映像信号を、例えばＭＰＥＧ（Moving Picture Experts Group）形式等の規格に基づいて圧縮する処理を行う。圧縮伸張処理部１０６で圧縮されたデータは、記録再生制御部１０８を介して外部記録媒体１０７に伝送され、外部記録媒体１０７に記録される。圧縮伸張処理部１０６では、外部記録媒体１０７に記録された圧縮映像データを伸張する処理も行い、伸張した映像データは、インターフェース部１０３に伝送する。
【００３７】
記録再生制御部１０８は、圧縮伸張処理部１０６で所定のフォーマットに圧縮された映像データを、外部記録媒体１０７に書き込む（記録する）処理及び、メモリカード５０に記録された映像データを読み出して再生する制御を行う。本例の場合には、メモリカード５０が装着されるカードスロットとして、２つのカードスロット３４，３５を用意したので、その２つのカードスロット３４，３５に装着されたメモリカード５０を交互に使用するなどして、長時間の連続録画が行える。
【００３８】
なお、本例の場合には、撮像装置に設けたカードスロット３４，３５は、装着されたメモリカードの抜け落ちを防止するロック機構は特に設けていない。従って、蓋４０を閉めた状態とすることで、蓋４０そのものが、メモリカードの抜け落ち防止部材として機能する。
【００３９】
なお、上述した実施の形態では、記憶媒体としてメモリカードだけを使用した撮像装置に適用したが、メモリカード以外の記憶媒体とメモリカードとを記憶媒体として併用した撮像装置として構成してもよい。
また、メモリカードとしては、上述したエクスプレスカード以外の規格のメモリカードを使用するようにしてもよい。また、メモリカードを装着するカードスロットとして、２つのカードスロットを配置した例としたが、１つのカードスロットだけを配置した構成としたり、或いは３つ以上のカードスロットを配置した構成としてもよい。各カードスロットそのものの配置としても、スロットを直立させて配置した形状としたが、スロットを水平に配置する構成としてもよい。
【００４０】
また、上述した実施の形態では、カードスロットの蓋部として、開けた際には前方にスライドする構成としたが、撮像装置本体を持つ手や、ビューファインダを覗く顔などを邪魔しないような構成であれば、その他の方向にスライドする構成としてもよい。例えば、上側にスライドさせることで開く構成としてもよい。
【図面の簡単な説明】
【００４１】
【図１】本発明の一実施の形態による撮像装置の構成例を示す斜視図である。
【図２】本発明の一実施の形態による撮像装置の構成例（蓋を開けた状態）を示す斜視図である。
【図３】本発明の一実施の形態による撮像装置の左側面を示す側面図である。
【図４】本発明の一実施の形態による撮像装置の右側面を示す側面図である。
【図５】本発明の一実施の形態による撮像装置の正面図である。
【図６】本発明の一実施の形態による撮像装置の背面図である。
【図７】本発明の一実施の形態による撮像装置の底面図である。
【図８】本発明の一実施の形態による撮像装置の上面図である。
【図９】本発明の一実施の形態による撮像装置を保持した場合の左側面を示す斜視図である。
【図１０】本発明の一実施の形態による撮像装置を保持した場合の右側面を示す斜視図である。
【図１１】本発明の一実施の形態による撮像装置の内部構成例を示すブロック図である。
【符号の説明】
【００４２】
１…伝送ライン、１０…レンズ部、１０ａ…レンズ、１１…レンズフード、１２…撮像部収納部、１３…バッテリ収納部、２０…ハンドル部、２１…操作部、２２…ビューファインダ、２３…アイカップ、２４…表示部、２４ａ…表示パネル、２５…マイクロフォン、２６…音声処理部収納部、２９…グリップ部、３０…メモリカード収納部、３１，３２…カード用パイロットランプ、３３…窪み部、３４，３５…カードスロット、３６，３７…カード取出し用ボタン、４０…蓋、４１，４２…窓、５０…メモリカード、１０１…撮像部、１０２…信号処理部、１０３…インターフェース部、１０４…音声処理部、１０５…スピーカ、１０６…圧縮伸張処理部、１０８…記録再生制御部、１１０…制御部
【図１】
2008263317.tif 000003
【図２】
2008263317.tif 000004
【図３】
2008263317.tif 000005
【図４】
2008263317.tif 000006
【図５】
2008263317.tif 000007
【図６】
2008263317.tif 000008
【図７】
2008263317.tif 000009
【図８】
2008263317.tif 000010
【図９】
2008263317.tif 000011
【図１０】
2008263317.tif 000012
【図１１】
2008263317.tif 000013